(57)【要約】【課題】ランプ組立性を向上させることができるランプ固定部材、それを有するバックライトアセンブリ及び液晶表示装置を提供する。【解決手段】ランプ固定部材は第１本体部及び第２本体部を含む。第１本体部は上面に形成された少なくとも一つの第１ランプ固定部を含む。第２本体部は第１本体部に摺動によって結合される。第２本体部は第１ランプ固定部と結合されランプを固定するための溝を形成する第２ランプ固定部を含む。第１ランプ固定部と第２ランプ固定部はランプの長さ方向を基準にして互いに対称の形状を有する。第１ランプ固定部及び第２ランプ固定部のうちいずれか一つは第１結合突起を含み、第１ランプ固定部及び第２ランプ固定部のうち他の一つは第２本体部の摺動によって第１結合突起と結合される第１結合溝を含む。従って、ランプ組立の自動化が可能となりランプ組立性を向上させることができる。【選択図】図２
2007165320.tif 000002
【特許請求の範囲】
【請求項１】
上面に形成された少なくとも一つの第１ランプ固定部を有する第１本体部と、
前記第１本体部に対して摺動可能に結合され、かつ前記第１ランプ固定部と結合されてランプを固定するための溝を形成する第２ランプ固定部を有する第２本体部と、
を含むランプ固定部材。
【請求項２】
前記第１ランプ固定部と前記第２ランプ固定部とは、前記ランプの長さ方向を基準にして互いに対称である形状を有する、請求項１に記載のランプ固定部材。
【請求項３】
前記第１ランプ固定部及び前記第２ランプ固定部のうちいずれか一つは第１結合突起を有し、
前記第１ランプ固定部及び前記第２ランプ固定部のうち他の一つは、前記第１本体部に対する前記第２本体部の摺動によって前記第１結合突起と結合する第１結合溝を有する、請求項１に記載のランプ固定部材。
【請求項４】
前記第２本体部には、前記第１ランプ固定部が系合する貫通ホールが形成されている、請求項１に記載のランプ固定部材。
【請求項５】
前記第２本体部は、前記第１本体部と結合する第２結合突起をさらに有している、請求項１に記載のランプ固定部材。
【請求項６】
前記第１本体部は、前記第１本体部に対する前記第２本体部の摺動によって前記第２結合突起と結合する第２結合溝をさらに有する、請求項５に記載のランプ固定部材。
【請求項７】
前記第２本体部は、前記第２ランプ固定部より突出する拡散板支持部をさらに有する請求項１に記載のランプ固定部材。
【請求項８】
前記拡散板支持部は、円錐形状に形成されている、請求項７に記載のランプ固定部材。
【請求項９】
前記第１本体部は、収納容器との結合のために下面に形成された本体結合部をさらに有する、請求項１に記載のランプ固定部材。
【請求項１０】
収納容器と、
前記収納容器の側面に沿って収納された複数のランプと、
ランプ固定部材と、を含み
前記ランプ固定部材は、
前記収納容器に結合され、上面に形成された少なくとも一つの第１ランプ固定部を有する第１本体部、及び
前記第１本体部に対して摺動可能に結合され、前記第１ランプ固定部と結合されて前記ランプが固定される溝を形成する第２ランプ固定部を有する第２本体部、
を備える、バックライトアセンブリ。
【請求項１１】
前記第１ランプ固定部と前記第２ランプ固定部とは、前記ランプの長さ方向を基準にして互いに対称である形状を有する、請求項１０に記載のバックライトアセンブリ。
【請求項１２】
前記第１ランプ固定部及び前記第２ランプ固定部のうちいずれか一つは第１結合突起を有し、
前記第１ランプ固定部及び第２ランプ固定部のうち他の一つは、前記第１本体部に対する前記第２本体部の摺動によって前記第１結合突起と結合する第１結合ホールを有している、請求項１０に記載のバックライトアセンブリ。
【請求項１３】
前記第２本体部は、前記第１ランプ固定部が系合する貫通ホールが形成されている、請求項１０に記載のバックライトアセンブリ。
【請求項１４】
前記第２本体部は、前記第１本体部と結合する第２結合突起をさらに有し、
前記第１本体部は、前記第１本体部に対する前記第２本体部の摺動によって前記第２結合突起と結合する第２結合溝をさらに有している、請求項１０に記載のバックライトアセンブリ。
【請求項１５】
前記ランプの上部に配置される拡散板をさらに含む、請求項１０に記載のバックライトアセンブリ。
【請求項１６】
前記第２本体部は、前記第２ランプ固定部より突出し、前記拡散板を支持する拡散板支持部をさらに有する、請求項１５に記載のバックライトアセンブリ。
【請求項１７】
前記第１本体部は、前記下面に形成され前記収納容器と結合する本体結合部をさらに有する、請求項１０に記載のバックライトアセンブリ。
【請求項１８】
光を供給するバックライトアセンブリと、
前記バックライトアセンブリの上部に配置され画像を表示する表示ユニットと、
前記表示ユニットを固定するトップシャーシと、を含み、
前記バックライトアセンブリは、
収納容器と、
前記収納容器に互いに並行に収納される複数のランプと、
ランプ固定部材と、を備え、
前記ランプ固定部材は、
前記収納容器に結合され、上面に形成された少なくとも一つの第１ランプ固定部を有する第１本体部と、
前記第１本体部に対して摺動可能に結合され、前記第１ランプ固定部と結合されて前記ランプを固定するための溝を形成する第２ランプ固定部を有する第２本体部と、を具備している、液晶表示装置。
【請求項１９】
前記第１ランプ固定部と前記第２ランプ固定部とは、前記ランプの長さ方向を基準にして互いに対称である形状を有する、請求項１８に記載の液晶表示装置。
【請求項２０】
前記第１ランプ固定部及び前記第２ランプ固定部のうちいずれか一つは第１結合突起を有し、
前記第１ランプ固定部及び前記第２ランプ固定部のうち他の一つは、前記第１本体部に対する前記第２本体部の摺動によって前記第１結合突起と結合する第１結合溝を有する、請求項１８に記載の液晶表示装置。
【請求項２１】
前記第２本体部は前記第１本体部と結合する第２結合突起をさらに有し、
前記第１本体部は、前記第１本体部に対する前記第２本体部の摺動によって前記第２結合突起と結合する第２結合溝をさらに有する、請求項１８に記載の液晶表示装置。
【請求項２２】
前記第２本体部は、前記第１ランプ固定部が系合する貫通ホールが形成されている、請求項１８に記載の液晶表示装置。
【請求項２３】
前記第２本体部は、前記ランプの上部に配置された拡散板を支持する拡散板支持部をさらに有する、請求項１８に記載の液晶表示装置。
【発明の詳細な説明】
【技術分野】
【０００１】
本発明はランプ固定部材、それを有するバックライトアセンブリ及び液晶表示装置に関する。さらに詳細には、ランプ組立性を向上させることができるランプ固定部材、それを有するバックライトアセンブリ及び液晶表示装置に関する。
【背景技術】
【０００２】
一般的に、液晶表示装置は液晶を用いて画像を表示する平板蛍光ランプの一つとして、他の表示装置に比べて薄くて軽く、低駆動電圧及び低消費電力などの長所を有する。このような長所により液晶表示装置はノートブック、モニター及びＴＶなどの多様な製品に使用されている。
液晶表示装置は、画像を表示するための液晶表示パネルが自体的に発光することができない非発光性素子であるので、液晶表示パネルに光を供給するためのバックライトアセンブリを必要とする。
【０００３】
バックライトアセンブリは、光を発生するランプを含む。この際、ランプは細くて長い円筒形状を有する冷陰極蛍光ランプ（ＣＣＦＬ）が主に使用される。バックライトアセンブリは、ランプの位置によって大きくエッジ型と、直下型とで区分される。
エッジ型は透明導光板の側面に１つまたは２つのランプを位置させ、導光板の一面を用いて光を多重反射させることで得た光を液晶表示パネルに出射する方式である。直下型は複数のランプを液晶表示パネルの直下部に位置させ、ランプの全面に拡散板を配置しランプの背面には反射板を配置してランプから発散された光を反射及び拡散させる方式である。従って、エッジ型はノートブック、モニターなどの比較的大きさの小さい液晶表示装置に使用される反面、直下型はＴＶなどの高輝度が要求される大型の液晶表示装置に主に使用される。
【発明の開示】
【発明が解決しようとする課題】
【０００４】
直下型バックライトアセンブリの場合、液晶表示装置の大きさが大型化されることによりランプの長さが長くなり拡散板の大きさが大きくなる。従って、バックライトアセンブリはランプを固定しながら、拡散板を支持するランプ固定部材を具備する。
ランプ固定部材は、ランプを固定するためのランプ固定部、及び拡散板を支持するための拡散板支持部を具備する。一般的に、ランプ固定部は上部の一部分がランプの直径より小さい大きさで開口された円形態のクリップ形状を有する。
【０００５】
このような構造では、ランプ組立の自動化が不可能で、作業者の手作業を通じてランプをランプ固定部に結合しなければならないので、組立工程が複雑となり、工程時間が長くなるという問題点が発生される。
従って、本発明はこのような従来の問題点を勘案したもので、本発明はランプ固定部材にランプを組み立てる組立性を向上させることができるランプ固定部材を提供する。
【０００６】
また、本発明は前記したランプ固定部材を有するバックライトアセンブリを提供する。
また、本発明は前記したバックライトアセンブリを有する液晶表示装置を提供する。
【課題を解決するための手段】
【０００７】
前記課題を解決するために、本発明１は、以下の構成を含むランプ固定部材を提供する。
・上面に形成された少なくとも一つの第１ランプ固定部を有する第１本体部と、
・前記第１本体部に対して摺動可能に結合され、かつ前記第１ランプ固定部と結合されてランプを固定するための溝を形成する第２ランプ固定部を有する第２本体部。
【０００８】
本発明２は、前記発明１において、前記第１ランプ固定部と前記第２ランプ固定部とは、前記ランプの長さ方向を基準にして互いに対称である形状を有するランプ固定部材を提供する。
本発明３は、前記発明１において、前記第１ランプ固定部及び前記第２ランプ固定部のうちいずれか一つは第１結合突起を有し、前記第１ランプ固定部及び前記第２ランプ固定部のうち他の一つは、前記第１本体部に対する前記第２本体部の摺動によって前記第１結合突起と結合する第１結合溝を有する、ランプ固定部材を提供する。
【０００９】
本発明４は、前記発明１において、前記第２本体部には、前記第１ランプ固定部が系合する貫通ホールが形成されている、ランプ固定部材を提供する。
本発明５は、前記発明１において、前記第２本体部は、前記第１本体部と結合する第２結合突起をさらに有している、ランプ固定部材を提供する。
本発明６は、前記発明５において、前記第１本体部は、前記第１本体部に対する前記第２本体部の摺動によって前記第２結合突起と結合する第２結合溝をさらに有する、ランプ固定部材を提供する。
【００１０】
本発明７は、前記発明１において、前記第２本体部は、前記第２ランプ固定部より突出する拡散板支持部をさらに有するランプ固定部材を提供する。
本発明８は、前記発明７において、前記拡散板支持部は、円錐形状に形成されている、ランプ固定部材を提供する。
本発明９は、前記発明１において、前記第１本体部は、収納容器との結合のために下面に形成された本体結合部をさらに有する、ランプ固定部材を提供する。
【００１１】
本発明１０は、以下の構成を含むバックライトアセンブリを提供する。
・収納容器と、
・前記収納容器の側面に沿って収納された複数のランプと、
・ランプ固定部材。
ここで前記ランプ固定部材は、前記収納容器に結合され、上面に形成された少なくとも一つの第１ランプ固定部を有する第１本体部、及び前記第１本体部に対して摺動可能に結合され、前記第１ランプ固定部と結合されて前記ランプが固定される溝を形成する第２ランプ固定部を有する第２本体部を備える。
【００１２】
本発明１１は、前記発明１０において、前記第１ランプ固定部と前記第２ランプ固定部とは、前記ランプの長さ方向を基準にして互いに対称である形状を有する、バックライトアセンブリを提供する。
本発明１２は、前記発明１０において、前記第１ランプ固定部及び前記第２ランプ固定部のうちいずれか一つは第１結合突起を有し、前記第１ランプ固定部及び第２ランプ固定部のうち他の一つは、前記第１本体部に対する前記第２本体部の摺動によって前記第１結合突起と結合する第１結合ホールを有している、バックライトアセンブリを提供する。
【００１３】
本発明１３は、前記発明１０において、前記第２本体部は、前記第１ランプ固定部が系合する貫通ホールが形成されている、バックライトアセンブリを提供する。
本発明１４は、前記発明１０において、前記第２本体部は、前記第１本体部と結合する第２結合突起をさらに有し、前記第１本体部は、前記第１本体部に対する前記第２本体部の摺動によって前記第２結合突起と結合する第２結合溝をさらに有している、バックライトアセンブリを提供する。
【００１４】
本発明１５は、前記発明１０において、前記ランプの上部に配置される拡散板をさらに含む、バックライトアセンブリを提供する。
本発明１６は、前記発明１５において、前記第２本体部は、前記第２ランプ固定部より突出し、前記拡散板を支持する拡散板支持部をさらに有する、バックライトアセンブリを提供する。
【００１５】
本発明１７は、前記発明１０において、前記第１本体部は、前記下面に形成され前記収納容器と結合する本体結合部をさらに有する、バックライトアセンブリを提供する。
本発明１８は、以下の構成を有する液晶表示装置を提供する。
・光を供給するバックライトアセンブリと、
・前記バックライトアセンブリの上部に配置され画像を表示する表示ユニットと、
・前記表示ユニットを固定するトップシャーシ。
【００１６】
ここで、前記バックライトアセンブリは、収納容器と、前記収納容器に互いに並行に収納される複数のランプと、ランプ固定部材とを備える。また、前記ランプ固定部材は、前記収納容器に結合され、上面に形成された少なくとも一つの第１ランプ固定部を有する第１本体部と、前記第１本体部に対して摺動可能に結合され、前記第１ランプ固定部と結合されて前記ランプを固定するための溝を形成する第２ランプ固定部を有する第２本体部とを具備している。
【００１７】
本発明１９は、前記発明１８において、前記第１ランプ固定部と前記第２ランプ固定部とは、前記ランプの長さ方向を基準にして互いに対称である形状を有する、液晶表示装置を提供する。
本発明２０は、前記発明１８において、前記第１ランプ固定部及び前記第２ランプ固定部のうちいずれか一つは第１結合突起を有し、前記第１ランプ固定部及び前記第２ランプ固定部のうち他の一つは、前記第１本体部に対する前記第２本体部の摺動によって前記第１結合突起と結合する第１結合溝を有する、液晶表示装置を提供する。
【００１８】
本発明２１は、前記発明１８において、前記第２本体部は前記第１本体部と結合する第２結合突起をさらに有し、前記第１本体部は、前記第１本体部に対する前記第２本体部の摺動によって前記第２結合突起と結合する第２結合溝をさらに有する、液晶表示装置を提供する。
本発明２２は、前記発明１８において、前記第２本体部は、前記第１ランプ固定部が系合する貫通ホールが形成されている、液晶表示装置を提供する。
【００１９】
本発明２３は、前記発明１８において、前記第２本体部は、前記ランプの上部に配置された拡散板を支持する拡散板支持部をさらに有する、液晶表示装置を提供する。
【発明の効果】
【００２０】
このようなランプ固定部材、それを有するバックライトアセンブリ及び液晶表示装置によると、ランプ組立の自動化が可能となりランプ組立性を向上させることができる。
【発明を実施するための最良の形態】
【００２１】
以下、添付図面を参照して、本発明の好ましい実施例をより詳細に説明する。
図１は、本発明の一実施例によるバックライトアセンブリを示す分解斜視図である。
図１を参照すると、本発明の一実施例によるバックライトアセンブリ１００は収納容器２００、複数のランプ３００、拡散板３５０及びランプ固定部材４００を含む。
収納容器２００は、底部２１０、及び底部２１０の端部から延長され収納空間を形成する側部２２０で構成される。収納容器２００は、例えば強度が優秀で変形の少ない金属からなる。
【００２２】
収納容器２００の長手方向に対応する側部２２０には、拡散板３５０の固定位置をガイドするための第１拡散板ガイド部２２２を形成することができる。例えば、４個の第１拡散板ガイド部２２２が前記収納容器２００の側部２２０に配置される。前記第１拡散板ガイド部２２２は、２つの対応する前記収納容器２２０の側部２２０に配置されることができる。前記収納容器２００の矩形形状を有する場合、前記第１拡散板ガイド部２２２は前記収納容器の長辺に沿って配置されることができる。第１拡散板ガイド部２２２は、側部２２０の上面から所定高さに突出し、拡散板３５０の収納位置をガイドする。
【００２３】
ランプ３００は、収納容器２００の底部２１０上に互いに並行に収納される。ランプ３００は、外部から印加される駆動電源に反応して光を発生する。ランプ３００は、細くて長い円筒形状の冷陰極蛍光ランプからなる。これとは異なり、ランプ３００は、両端部に外部電極が形成された外部電極型蛍光ランプ（ＥＥＦＬ）からなることができる。また、ランプ３００はＵ字形状の構造を有することができる。
【００２４】
ランプ３００の両端部は、収納容器２００に固定されているランプソケット３１０によって固定される。
拡散板３５０は、ランプ３００の上部に配置される。拡散板３５０は、ランプ３００から発生された光を拡散させ光の輝度均一性を向上させる。拡散板３５０は、所定の厚さを有するプレート形状からなり、ランプ３００と一定距離で離隔するように配置される。
【００２５】
拡散板３５０は、透過のために透明な材質からなり、光の拡散のための拡散剤を含む。拡散板３５０は、例えば、ポリメチルメタクリレータ（ＰＭＭＡ）材質からなる。
バックライトアセンブリ１００は、拡散板３５０の上部に配置される少なくとも一つの光学シート３６０をさらに含むことができる。光学シート３６０は、拡散板３５０を通じて拡散された光の経路を変更して光学特性を向上させる。光学シート３６０は、拡散板３５０を通じて拡散された光を正面方向に集光させ光の正面輝度を向上させるための集光シートを含むことができる。また、光学シート３６０は、拡散板３５０を介して拡散された光を再度拡散させるための拡散シートを含むことができる。一方、バックライトアセンブリ１００は、要求される光学特性により反射偏光シートなどの多様な機能の光学シートをさらに含むことができる。
【００２６】
ランプ固定部材４００は、ランプ３００を固定するために収納容器２００の底部２１０に固定される。ランプ３００の長さが長くなるほど撓むか、変形する可能性が高くなるので、ランプ固定部材４００はランプ３００の中央部を安定的に固定してランプ３００の垂れ及び変形を防止する。
ランプ固定部材４００の個数は、ランプ３００の個数によって決定される。例えば、一つのランプ固定部材４００には４つのランプ３００が固定される。ランプ固定部材４００が２つ以上のランプ３００を固定する場合、ランプ固定部材４００は、ランプ３００の長手方向に垂直な方向に沿ってジグザグ形状に配置されることが望ましい。
【００２７】
それぞれのランプ３００は、一つのランプ固定部材４００によって固定される。しかし、ランプ３００の長さが長くなる場合ランプ固定部材４００の個数をさらに増加し、それぞれのランプ３００は、長手方向に沿って一定距離以上に離隔された２つ以上のランプ固定部材４００によって固定されることができる。この場合にも、ランプ固定部材４００は、ランプ３００の長さ方向に垂直な方向に沿ってジグザグ形態に配置されることが望ましい。
【００２８】
バックライトアセンブリ１００は、ランプ３００の両端部に対応して配置されるサイドモールド３７０をさらに含むことができる。サイドモールド３７０は、ランプ３００の両端部を遮り、収納容器２００に結合される。サイドモールド３７０は、他の領域に比べて輝度が相対的に低いランプ３００の両端部、即ち、ランプ３００の電極部領域をカバーし輝度不均一を除去する。
【００２９】
サイドモールド３７０は、上部に配置される拡散板３５０の端部位を支持しながら拡散板３５０の収納位置をガイドする。サイドモールド３７０には、拡散板３５０の固定位置をガイドするための第２拡散板ガイド部３７２が形成されることができる。第２拡散板ガイド部３７２はサイドモールド３７０の上面から所定高さに突出され拡散板３５０の収納位置をガイドする。
【００３０】
示されてはいないが、バックライトアセンブリ１００は、拡散板３５０と光学シート３６０を固定するためのミドルモールドをさらに含むことができる。ミドルモールドは光学シート３６０の上部から収納容器２００と結合され拡散板３５０及び光学シート３６０の端部位を固定する。
図２は、図１に示されたランプ固定部材を具体的に示す斜視図である。図３は、図２のＩ−Ｉ’線に沿って切断したランプ固定部材の断面図である。図４は、図２に示されたランプ固定部材の分解斜視図である。図５は、図４のＩＩの部分を示した拡大図である。
【００３１】
図２乃至図５を参照すると、ランプ固定部材４００は、第１本体部４１０、及び第１本体部４１０とを摺動により結合される第２本体部４２０を含む。
第１本体部４１０は、ランプ３００と交差する方向に沿って形成される。第１本体部４１０は、上面に形成された少なくとも一つの第１ランプ固定部４１１を含む。例えば、第１本体部４１０は図４に示すように、４個の第１ランプ固定部４１１を含む。４個の第１ランプ固定部４１１は、互いに一定の間隔に離隔されるように配置される。
【００３２】
第１ランプ固定部４１１は、第２本体部４２０の第２ランプ固定部４２１と結合されランプ３００を固定するための溝４３０を形成する。
第１ランプ固定部４１１は、図５に示されたように、第２ランプ固定部４２１との安定的な結合のための第１結合突起４１２を含む。
第２本体部４２０は、第１本体部４１０に挿入された後、摺動によって第１本体部４１０と完全に結合される。第２本体部４２０は、第１ランプ固定部４１１と結合されランプ３００を固定するための溝４３０を形成する第２ランプ固定部４２１を含む。例えば、第２本体部４２０は、図４に示されたように、４個の第２ランプ固定部４２１を含む。４個の第２ランプ固定部４２１は、互いに一定の間隔に離隔されるように配置される。
【００３３】
第１ランプ固定部４１１と第２ランプ固定部４２１は互いに結合された状態で、ランプ３００の長さ方向を基準にして互いに対称である形状を有する。
第２ランプ固定部４２１は、第２本体部４２０の摺動によって第１ランプ固定部４１１の第１結合突起４１２と結合される第１結合溝（図示せず）を含む。第１結合溝は、第１結合突起４１２に対応される溝形状を有する。
【００３４】
第１ランプ固定部４１１の第１結合突起４１２と第２ランプ固定部４２１の第１結合溝の結合によって、第１本体部４１０と第２本体部４２０は、互いに分離されないように安定的に結合される。それとは異なり、第１本体部４１０の第１ランプ固定部４１１に第１結合溝が形成され、第２本体部４２０の第２ランプ固定部４２１に第１結合突起が形成された構造を有することができる。
【００３５】
第２本体部４２０は、第１本体部４１０との摺動による結合のために、第２ランプ固定部４２１が第１ランプ固定部４１１と同一平面上に配置されるように第１本体部４１０に挿入されなければならない。従って、第２本体部４２０は、第１ランプ固定部４１１が系合する貫通ホール４２２を有する。貫通ホール４２２は、第１ランプ固定部４１１の大きさと第２本体部４２０が摺動する距離を考慮して適当な大きさに形成される。
【００３６】
第２本体部４２０は、第１本体部４１０との結合のための第２結合突起４２３をさらに含むことができる。第２結合突起４２３は、第２本体部４２０の下面から突出されるように形成される。
第１本体部４１０には、第２結合突起４２３との結合のための第２結合溝４１３が形成されることができる。この際、第２本体部４２０の第２結合突起４２３は、第２本体部４２０の摺動によって第１本体部４１０の第２結合溝４１３に締結される。このように、第２結合突起４２３と第２結合溝４１３の結合によって、第１本体部４１０と第２本体部４２０はより安定的に締結される。
【００３７】
一方、第１本体部４１０に第２結合突起が形成され、第２本体部４２０に第２結合溝が形成された構造を有することができる。
第２本体部４２０は、第２ランプ固定部４２１より高く突出され拡散板３５０（図１に図示）を支持する拡散板支持部４２４をさらに含む。拡散板３５０は大型化されるほど中央部が下方向に垂れる。従って、拡散板支持部４２４は拡散板３５０の垂れを防止し、第１ランプ固定部及び第２ランプ固定部に固定されたランプ３００と拡散板３５０と間の距離を一定に保持させる。拡散板支持部４２４は、例えば、円錐形状を有する。
【００３８】
第１本体部４１０は、収納容器２００（図１に図示）との結合のために下面に形成された少なくとも一つの本体結合部４１４をさらに含む。本体結合部４１４は、収納容器２００の底部２１０の開口された領域を貫通した後、低部２１０とフック結合される。本体結合部４１４の形成位置及び個数は多様に変形されることができる。
第１本体部４１０及び第２本体部４２０は、同一の材質から形成される。例えば、第１本体部４１０と第２本体部４２０はプラスチック材質から形成される。
【００３９】
図６は、図１に示されたランプソケットを具体的に示す斜視図である。
図１及び図６を参照すると、ランプソケット３１０は、回路基板上にランプ３００の個数分だけ実装された状態で、収納容器２００の開口された領域を通じて収納容器２００の内部に配置される。
ランプソケット３１０は、ソケット本体部３１２、及びソケット固定部３１４で構成される。ソケット本体部３１２は、ランプ３００が挿入固定されるランプホール３１３を有する。ランプ３００がソケット本体部３１２に安着された後、ソケット固定部３１４はソケット本体部３１２に結合されランプ３００のリード線３０２部分を固定する。この際、ランプ３００のリード線３０２は、ソケット本体部３１２内部に形成された導電端子（図示せず）と結合され電気的に連結される。
【００４０】
図７は、ランプの固定部材の結合状態を説明するための図面である。
図１、図６及び図７を参照すると、ランプ３００の組立工程は自動化機械を通じて進行される。
まず、第１本体部４１０と第２本体部４２０とが結合された状態のランプ固定部材４００を収納容器２００に結合し、ランプソケット３１０を収納容器２００に結合する。この際、第１本体部４１０と第２本体部４２０は摺動によって結合される前に、第１ランプ固定部４１１と第２ランプ固定部４２１がランプ３００の直径より大きく広がった状態を保持する。また、ランプソケット３１０のソケット固定部３１４は、ソケット本体部３１２に結合されていない状態である。
【００４１】
以後、自動化機械を通じてランプ３００を第１ランプ固定部４１１及び第２ランプ固定部４２１上に配置する。この際、ランプ３００の両端部はランプソケット３１０のソケット本体部３１２上に配置する。
以後、第２本体部４２０を摺動させ第１本体部４１０と結合し、ランプ３００の中央部分を固定する。また、ランプソケット３１０のソケット固定部３１４をソケット本体部３１２に結合し、ランプ３００のリード線３０２部分を固定する。
【００４２】
このように、自動化工程を通じてランプ３００を実装することで、ランプ３００の組立工程を簡小化させ、組立時間を短縮することができる。
図８は、本発明の一実施例による液晶表示装置を示した分解斜視図である。
図８を参照すると、本発明の一実施例による液晶表示装置７００は光を供給するためのバックライトアセンブリ１００、画像を表示するための表示ユニット８００、及び表示ユニット８００を固定するためのトップシャーシ９２０を含む。
【００４３】
バックライトアセンブリ１００は、図１乃至図７に示されたのと同一の構造を有するので、同一の構成要素については同一の参照番号を使用し、その重複される詳細な説明は省略する。
表示ユニット８００は、バックライトアセンブリ１００から供給される光を用いて画像を表示する液晶表示パネル８１０、及び液晶表示パネル８１０を駆動するための駆動回路部８２０を含む。
液晶表示パネル８１０は、第１基板８１２、第１基板８１２と対向して結合される第２基板８１４、及び第１基板と第２基板８１４との間に介在された液晶層８１６を含む。
【００４４】
第１基板８１２は、スイッチング素子である薄膜トランジスタ（以下、ＴＦＴ）がマトリックス形態に形成された基板である。例えば、第１基板８１２はガラス材質からなる。前記ＴＦＴのソース端子及びゲート端子にはそれぞれデータライン及びゲートラインが連結され、ドレイン端子には透明な導電性材質からなる画素電極が連結される。
第２基板８１４は、色を具現するためのＲ、Ｇ、Ｂカラーフィルタが薄膜形態に形成された基板である。第２基板８１４は、例えば、ガラス材質からなる。第２基板８１４には、透明の導電性材質からなる共通電極が形成される。
【００４５】
このような構成を有する液晶表示パネル８１０は、前記ＴＦＴのゲート端子に電源が印加されＴＦＴがターンオンされると、画素電極と共通電極との間には電界が形成される。このような電界によって第１基板８１２と第２基板８１４との間に介在された液晶層８１６の液晶分子の配列が変化され、液晶分子の配列変化によってバックライトアセンブリ１００から供給される光の透過度が変更され所望する諧調の画像を表示する。
【００４６】
駆動回路部８２０は、液晶表示パネル８１０にデータ駆動信号を供給するデータ印刷回路基板８２２、液晶表示パネル８１０にゲート駆動信号を供給するゲート印刷回路基板８２４、データ印刷回路基板８２２を液晶表示パネル８１０に連結するデータ駆動回路フィルム８２６、及びゲート印刷回路基板８２４を液晶表示パネル８１０に連結するゲート駆動回路フィルム８２８を含む。
【００４７】
データ駆動回路フィルム８２６及びゲート駆動回路フィルム８２８は、駆動チップを含む。データ駆動回路フィルム８２６及びゲート駆動回路フィルム８２８は、例えば、テープキャリアパッケージまたはチップオンフィルムからなる。
データ印刷回路基板８２２は、データ駆動回路フィルム８２６のベンディングによって収納容器２００の側面または背面に配置され、ゲート印刷回路基板８２４は、ゲート駆動回路フィルム８２８の折り曲げによって収納容器２００の側面または背面に配置される。一方、ゲート印刷回路基板８２４は液晶表示パネル８１０及びゲート駆動回路フィルム８２８に別途の信号配線を形成することで省略される。
【００４８】
液晶表示装置７００は、光学シート３６０と液晶表示パネル８１０との間に配置されるミドルモールド９１０をさらに含むことができる。ミドルモールド９１０は、光学シート３６０及び拡散板３５０を固定しながら液晶表示パネル８１０を支持する。ミドルモールド９１０は、フレーム形状の一体型に形成される。それとは異なり、ミドルモールド９１０は、２つの‘コ’字形状からなる構造を有することができる。また、ミドルモールド９１０は、４つの‘コ’字形状からなる構造を有することができる。
【００４９】
トップシャーシ９２０は、液晶表示パネル８１０の端部位を取り囲みながら収納容器２００と結合され、液晶表示パネル８１０をミドルモールド９１０の上部に固定する。トップシャーシ９２０は、外部衝撃による液晶表示パネル８１０の破損を防止し、液晶表示パネル８１０がミドルモールド９１０から離脱されることを防止する。トップシャーシ９２０は、フレーム形状の一体型に形成される。それとは異なり、トップシャーシ９２０は、２つの‘コ’字形状、または４つの‘Ｌ’字形状からなる構造を有することができる。
【産業上の利用可能性】
【００５０】
このようなランプ固定部材、それを有するバックライトアセンブリ及び液晶表示装置によると、ランプ組立の自動化が可能となり、ランプの組立性を向上させ、組立時間を短縮することができる。
以上、本発明の実施例によって詳細に説明したが、本発明はこれに限定されず、本発明が属する技術分野において通常の知識を有するものであれば本発明の思想と精神を離脱することなく、本発明を修正または変更できる。
【図面の簡単な説明】
【００５１】
【図１】本発明の一実施例によるバックライトアセンブリを示す分解斜視図である。
【図２】図１に示されたランプ固定部材を具体的に示す斜視図である。
【図３】図２のI-I’線に沿って切断したランプ固定部材の断面図である。
【図４】図２に示されたランプ固定部材の分解斜視図である。
【図５】図４のＩＩの部分を示した拡大図である。
【図６】図１に示されたランプソケットを具体的に示す斜視図である。
【図７】ランプ固定部材の結合状態を説明するための図面である。
【図８】本発明の一実施例による液晶表示装置を示す分解斜視図である。
【符号の説明】
【００５２】
１００      バックライトアセンブリ
２００      収納容器
３００      ランプ
３１０      ランプソケット
３５０      拡散板
３６０      光学シート
３７０      サイドモールド
４００      ランプ固定部材
４１０      第１本体部
４１１      第１ランプ固定部
４１４      本体結合部
４２０      第２本体部
４２１      第２ランプ固定部
４２４      拡散板支持部
８１０      液晶表示パネル
８２０      駆動回路部
９１０      ミドルモールド
９２０      トップシャーシ
【図１】
2007165320.tif 000003
【図２】
2007165320.tif 000004
【図３】
2007165320.tif 000005
【図４】
2007165320.tif 000006
【図５】
2007165320.tif 000007
【図６】
2007165320.tif 000008
【図７】
2007165320.tif 000009
【図８】
2007165320.tif 000010